(57)【特許請求の範囲】
【請求項１】
紙葉類を収納する保管庫と、
前記保管庫との間に設けられた前記紙葉類の受け渡し部の下流側に配置された、搬送面に対する対抗面を有する媒体案内部材であって、前記媒体案内部材の幅方向の中央部が前記搬送面に対して低く、前記幅方向の端部ほど前記搬送面に対して高い形状を有した前記媒体案内部材と、を備え、
前記媒体案内部材は、前記中央部から前記幅方向の端部に向かって搬送空間が段階的に広がる形状を有し、各段の前記搬送面との対向面と前記中央部の前記搬送面との対向面とが搬送方向においてなす角度は、前記幅方向の端部側の段ほど大きく、前記各段の前記搬送面との対向面は屈曲部を有し、屈曲部よりも上流側である第一の傾斜部と前記屈曲部よりも下流側である第二の傾斜部とを有し、前記屈曲部は、前記端部側の段ほど下流側に設けられている、
ことを特徴とする紙葉類取扱装置。
【請求項２】
前記保管庫は、前記紙葉類を巻き取るためのホイールと、前記ホイールと挟持することで前記紙葉類を搬送するフィルムを収納するためのリールと、両端がそれぞれ前記ホイール及び前記リールに取り付けられた前記フィルムと、を有し、
前記媒体案内部材は、前記保管庫の入り口に配置されている、
ことを特徴とする請求項１に記載の紙葉類取扱装置。
【請求項３】
紙葉類を収納する保管庫との間に設けられた前記紙葉類の受け渡し部の下流側に配置された、搬送面に対する対抗面を有する媒体案内部材であって、前記媒体案内部材の幅方向の中央部が前記搬送面に対して低く、前記幅方向の端部ほど前記搬送面に対して高い形状を有し、前記中央部から前記幅方向の端部に向かって搬送空間が段階的に広がる形状を有し、各段の前記搬送面との対向面と前記中央部の前記搬送面との対向面とが搬送方向においてなす角度は、前記幅方向の端部側の段ほど大きく、前記各段の前記搬送面との対向面は屈曲部を有し、屈曲部よりも上流側である第一の傾斜部と前記屈曲部よりも下流側である第二の傾斜部とを有し、前記屈曲部は、前記端部側の段ほど下流側に設けられている、
ことを特徴とする媒体案内部材。
【発明の詳細な説明】
【技術分野】
【０００１】
本発明は、媒体案内部材及び紙葉類取扱装置に関する。
【背景技術】
【０００２】
従来、紙幣等の紙葉類を媒体とした媒体搬送においては、案内部材が互いに重なり合うことにより、媒体が案内部材同士の隙間に入り込んで衝突することを抑えている。しかし、長尺のテープ／フィルムを、回転するホイールで巻き取ることで媒体を収納し、巻き戻すことで媒体を放出するような収納庫では、ホイールと放出された媒体を受ける側の案内部材の間には開放区間、つまり案内部材の無い空間が設けられている（例えば、特許文献１）。
【先行技術文献】
【特許文献】
【０００３】
【特許文献１】特開２０１２−１３１５７５号公報
【発明の概要】
【発明が解決しようとする課題】
【０００４】
上記収納庫では、紙幣が放出される際に、案内部材とホイールの間の開放区間において、例えば、媒体が搬送方向に対し垂直の方向にカールしている場合、その端部が浮き上がって案内部材と接触し、ジャムが発生する恐れがあった。
【０００５】
本発明は、上記に鑑みてなされたものであって、媒体の浮き上がりによるジャムの発生を抑えることが可能な媒体案内部材及び紙葉類取扱装置を提供することを目的とする。
【課題を解決するための手段】
【０００６】
上記課題を解決し、目的を達成するために、本発明にかかる紙葉類取扱装置は、紙葉類を収納する保管庫と、前記保管庫との間に設けられた前記紙葉類の受け渡し部の下流側に配置された媒体案内部材であって、前記媒体案内部材の前記幅方向の中央部が搬送面に対して低く、前記幅方向の端部ほど前記搬送面に対して高い形状を有した前記媒体案内部材と、を備えたことを特徴とする紙葉類取扱装置として構成される。
【０００７】
また、本発明は、上記紙葉類取扱装置に用いられる媒体案内部材としても把握される。
【発明の効果】
【０００８】
本発明によれば、媒体の浮き上がりによるジャムの発生を抑えることが可能となる。
【図面の簡単な説明】
【０００９】
【図１（ａ）】現金自動取引装置の外観を示す斜視図。
【図１（ｂ）】現金自動取引装置の外観を示すブロック図。
【図２（ａ）】紙幣取引装置の構成を示す側面図。
【図２（ｂ）】紙幣取引装置の構成を示す機能ブロック図。
【図３】紙幣取引装置の入金計数動作経路を示す側面図。
【図４】紙幣取引装置のリジェクト紙幣返却動作経路を示す側面図。
【図５】第二の一時保管庫の構成を示す側面図。
【図６（ａ）】本実施例にかかる第二の一時保管庫の搬送ガイドを示す側面図。
【図６（ｂ）】本実施例にかかる第二の一時保管庫の搬送ガイドを示す側面図。
【図７】本実施例にかかる第二の一時保管庫の搬送ガイドを示す矢視図。
【発明を実施するための形態】
【００１０】
以下に添付図面を参照して、本発明にかかる媒体案内部材及び紙葉類取扱装置の実施の形態を詳細に説明する。
【００１１】
図１（ａ）は、本発明にかかる媒体案内部材及び紙葉類取扱装置を適用した現金自動取引装置（ＡＴＭ：Ａｕｔｏｍａｔｅｄ  Ｔｅｌｌｅｒ  Ｍａｃｈｉｎｅ）の外観を示す斜視図である。図１（ａ）に示す現金自動取引装置１は、利用者から入金（投入）された紙幣を内部に保管するとともに、内部に保管されている紙幣を利用者へ出金（放出）するものである。現金自動取引装置１は、紙幣取引装置１０１と、カード・明細票処理機構１０２と、顧客操作部１０３と、金庫筐体１０４とを備えている。
紙幣取引装置１０１は、利用者による紙幣の投入及び利用者に対する紙幣の放出を行う紙幣スロット１０１ａを介して、紙幣の入金処理、出金処理、識別処理などを実行する。また、紙幣取引装置１０１の下部には紙幣が保管される紙幣収納庫が設けられており、紙幣収納庫は金庫筐体１０４で囲まれている。紙幣取引装置１０１の詳細な構成については、後述する。
【００１２】
カード・明細票処理機構１０２は、現金自動取引装置１の上部右側に設けられており、カード挿入口・明細票発券口１０２ａを介して、取引時に使用される利用者のキャッシュカードなどの挿入及び排出や、取引明細が印字された明細票の排出を実行する。また、カードに付加された磁気ストライプの情報の読取・磁気ストライプへの情報の書込、取引明細の印字を実行する。
【００１３】
顧客操作部１０３は、現金自動取引装置１の上部左側に設けられており、ＬＣＤ（Ｌｉｑｕｉｄ  Ｃｒｙｓｔａｌ  Ｄｉｓｐｌａｙ）などの表示部とボタン式の操作部とから構成されており、現金自動取引装置１の利用者に対して、取引内容の選択画面や各種取引の実行画面等を表示し、利用者の選択を受け付ける。
【００１４】
図１（ｂ）は、現金自動取引装置１の機能ブロック図である。現金自動取引装置１は、紙幣取引装置１０１と、カード・明細票処理機構１０２と、顧客操作部１０３と、外部記憶装置１０５とを備えている。これらの装置及び機構は、バス１０６を介して本体制御部１０７と接続されており、本体制御部１０７の制御の下に必要な動作を行う。また、上記各機構及び構成部分は、電源部１０８より電力を供給される。
【００１５】
図２（ａ）は、紙幣取引装置１０１の構成を示す側面図である。図２（ａ）に示す紙幣取引装置１０１には、その上部左側に入出金口１０が配置される。当該入出金口１０では、外部から投入された紙幣を受理する「入金」と、外部に放出する紙幣が収納される「出金」が同じ場所で実施される。
【００１６】
紙幣取引装置１０１の中央部には、搬送された紙幣の識別情報を取得する識別部３０が配置される。ここで、紙幣の識別情報とは、例えば、紙幣の金種情報、真偽情報（真性の紙幣であるか、偽造の紙幣であるか、偽造と疑わしい紙幣であるか、又は紙幣として認識できないか等）、紙幣の状態情報（破れがあるか、しわがあるか等）を含む情報である。なお、取得した紙幣情報により、取扱紙幣は「正紙幣」、「リジェクト紙幣」及び「偽造紙幣」を分類する。ここで、「正紙幣」は、紙幣取引装置１０１の内部に収納及び出金処理に適切できる紙幣のことである。「リジェクト紙幣」とは、例えば折れや破れ等により紙幣取引装置１０１の内部に収納することは可能であるが、他の利用者への出金に適さないと判断された紙幣のことである。また、識別部３０は、上記識別情報とは異なる、各々の紙幣の固有情報（例：紙幣に印刷された記番号等）を読み取ることにより、同一の金種、真偽若しくは状態の紙幣が複数であっても、別個の紙幣として認識することが可能である。
【００１７】
紙幣取引装置１０１の中部左上側には、入金された紙幣内の正紙幣を取引成立までの間、一時的に保管する第一の一時保管庫４０が配置される。紙幣取引装置１０１の中部左下側には、入金された紙幣内のリジェクト紙幣を正紙幣の取引成立までの間、一時的に保管する第二の一時保管庫５０が配置される。紙幣取引装置１０１の中部右上側には、正紙幣を取引成立した後、偽造紙幣と、入出金口１０に出金され、利用者は取り忘れた正紙幣を保管する保管庫６０が配置される。保管庫６０は、入金された偽造紙幣を保管する上段部と、出金された取り忘れ正紙幣を保管する下段部と、上段部と下段部との仕切板とを備える。
【００１８】
紙幣取引装置１０１の下部には、その左側から２番目の紙幣の収納のみを行う非還流ボックス７４と、左側から１、３、４、５番目の紙幣の収納及び放出を行う還流ボックス７０、７１、７２、７３とが配置される。これらの非還流ボックス７４と還流ボックス７０、７１、７２、７３とを合わせて、紙幣収納庫と称する。
非還流ボックス７４は、入金処理時及び出金処理時に発生したリジェクト紙幣等を収納する収納庫である。還流ボックス７０、７１、７２、７３は、入金された紙幣内の正紙幣であって出金に適した正紙幣を収納する収納庫である。還流ボックス７０、７１、７２、７３には、入金処理時に金種別に紙葉類が収納され、出金処理時に指定された枚数の紙葉類が放出される。
【００１９】
上記入出金口１０と、識別部３０と、第一の一時保管庫４０と、第二の一時保管庫５０と、偽造・取り忘れ紙幣を収納する保管庫６０と、非還流ボックス７４と、還流ボックス７０、７１、７２、７３とは、紙幣を搬送する搬送路２０、２１、２２、２３、２４、２５により接続される。これらの搬送路２０、２１、２２、２３、２４、２５は、図示しない駆動源により駆動される。なお、各搬送路の駆動源を別個の駆動源としたり、複数の搬送路を纏めて一つの駆動源により駆動しても良い。また、各搬送路の分岐点には、図示せぬゲートが設けられている。
【００２０】
搬送路２０は、入出金口１０と金庫１０４内部を繋ぐ搬送路である。搬送路２１は識別部３０と搬送路２０との間で紙幣を搬送する搬送路である。搬送路２２は紙幣を偽造・取り忘れ紙幣保管庫６０へ搬送する搬送路である。搬送路２３は、識別部３０と第一の一時保管庫４０との間で紙幣を搬送する搬送路である。搬送路２４は第二の一時保管庫５０と繋がり、リジェクト紙幣を第二の一時保管庫５０へ（もしくはリジェックト紙幣を第二の一時保管庫５０から）搬送する搬送路である。搬送路２０〜２４の搬送方向は、図示せぬゲートによって切り替えられる。搬送路２５、２５ａは図示せぬゲートと、非還流ボックス７４、還流ボックス７０、７１、７２、７３との間で紙幣を搬送する搬送路である。非還流ボックス７４、還流ボックス７０、７１、７２、７３への紙幣の収納と、還流ボックス７０、７１、７２、７３からの紙幣の繰出しとは、図示せぬゲートによって切り替えられる。
【００２１】
搬送路２０、２１、２３、２４、２５は、紙幣を双方向に搬送する搬送路である。一方、搬送路２２、２５ａは、紙幣を一方向に搬送する一方向搬送路である。紙幣の搬送方向は非還流ボックス７４へ収納するという方向である。
図２（ｂ）は、紙幣取引装置１０１の構成を示すブロック図である。紙幣取引装置１０１は、入出金口１０と、識別部３０と、第一の一時保管庫４０と、第二の一時保管庫５０と、偽造・取り忘れ紙幣保管庫６０と、非還流ボックス７４と、還流ボックス７０、７１、７２、７３と、搬送路２０〜２５、２５ａと、を備えている。これらの各機構及び構成部分は、制御部１０９と接続されており、制御部１０９の制御の下に必要な動作を行う。すなわち、制御部１０９は、本体制御部１０７からの指令を現金自動取扱装置１のバス１０６を介して受信し、当該指令に基づき各機構及び構成部分を制御する。  続いて、紙幣の入金動作について説明する。紙幣の入出金動作は、利用者により投入された紙幣を紙幣入出金機に入金する動作（入金動作）と、紙幣入出金機に収納された紙幣を利用者に対して出金する動作（出金動作）とに分けられる。また、入金動作は、利用者により投入された紙幣を計数する動作（入金計数動作）と、計数された紙幣内のリジェクト紙幣を識別部３０により識別した後に、利用者へ返却する動作（リジェクト返却動作）と、計数された紙幣を非還流ボックス７４、還流ボックス７０、７１、７２、７３に収納する動作（入金収納動作）とに分けられる。
【００２２】
入金計数動作における詳細な処理を、図３を用いて説明する。図３は、幣取扱装置１０１は入金計数動作を行う径路を示す側面図である。紙幣取引装置１０１は、紙幣スロット１０１ａを介して入出金口１０に投入された紙幣を、一枚ずつ分離する。その後、分離した紙幣を、紙幣搬送路２０、２１を経由させ、識別部３０で紙幣の識別情報及び固有情報を取得する。紙幣として認識できた場合（正紙幣）は、紙幣搬送路２３を経由させ、正紙幣を第一の一時保管庫４０に一時的に収納する。紙幣として認識できたが、傾き異常や紙幣同士の間隔異常となった場合（リジェクト紙幣）は、紙幣搬送路２４を経由させ、第二の一時保管庫５０に一時的に収納する。
【００２３】
リジェクト返却動作における詳細な処理を、図４を用いて説明する。図４は、紙幣取扱装置１０１におけるリジェクト返却動作を行う径路を示す側面図である。第二の一時保管庫５０に一時保管している紙幣（リジェクト紙幣）は、紙幣搬送路２５を経由し、識別部３０へ搬送され、識別部３０で紙幣の識別情報及び固有情報を再取得する。正紙幣として再認識できた紙幣は、紙幣搬送路２３を経由し、第一の一時保管庫４０に収納される。正紙幣として認識されなかった紙幣は紙幣搬送路２０を経由し、入出金口１０に搬送され、利用者に返却する。入出金口１０に紙幣を返却した場合は、顧客操作部１０３に、利用者に紙幣を再投入する旨を指示する画面が表示される。
【００２４】
次に、紙幣を収納し放出する紙幣収納庫である第二の一時保管庫５０に本発明を適用した場合について述べる。以下、第二の一時保管庫５０の詳細な構造について、図５を用いて説明する。
【００２５】
図５は、第二の一時保管庫５０の構成を示す側面図である。第二の一時保管庫５０は、テープ５０１と、テープの配置や張力を調整するために配置されるアイドラ５０４と、テープ５０１の上に紙幣Ｐを乗せた状態で巻き取るホイール５０２と、ホイール５０２が取付けられている軸５０２Ｓと、テープ５０１を巻き取るリール５０３と、リール５０３の軸５０３Ｓと、紙幣Ｐを搬送するローラ５１１と、紙幣Ｐを搬送する面である可動ガイド５０６と、テープ５０１及び紙幣Ｐをホイール５０２に案内するガイドローラ５０９とが設けられている。
【００２６】
搬送路２４を経由して第二の一時保管庫５０に誘導された紙幣は、その短手方向を搬送方向として第二の一時保管庫５０の内部に搬送される。第二の一時保管庫５０は、１枚の長尺なテープ５０１を備えており、テープの両端にホイール５０２とリール５０３とが設けられている。なお、ホイール５０２とリール５０３は、図示しない駆動モータによって回転駆動力が付与される。
【００２７】
第二の一時保管庫５０に紙幣が収納されるときには、紙幣は搬送路２４からローラ５１１の間を通過して可動ガイド５０６上へ搬送され、ホイール５０２とガイドローラ５０９とによって波形に変形付与され、テープ５０１上へ搬送される。そして、ホイール５０２を回転させることで、テープ５０１で紙幣を搬送し、紙幣はテープ５０１と共にホイール５０２に巻きつけられる。
【００２８】
第二の一時保管庫５０から紙幣が放出されるときには、リール５０３はテープ５０１を巻き取り、テープ５０１と共にホイール５０２に巻き付いていた紙幣が、ホイール５０２から放出される。このとき、テープ５０１と挟まれた紙幣は、ホイール５０２とガイドローラ５０９とによって波形に変形付与され、第二の一時保管庫５０から放出されて搬送路２４に搬送される。紙幣はホイール５０２に巻かれており、ホイール５０２の外周に沿って放出される。その後、紙幣はローラ５１１によってテープ５０１と分離され、搬送路２４へ受け渡される。テープ５０１は、アイドラ５０４を通過しリール５０３に巻き取られる。
【００２９】
図６（ａ）は、本実施例における第二の一時保管庫５０と搬送ガイド５５０の関係について説明した図である。また、図６（ｂ）は、搬送ガイド５５０の形状を示した詳細図であり、図７は矢印Ｙ方向から見た搬送ガイド５５０の矢視図である。
【００３０】
搬送ガイド５５０には、ホイール５０２に巻取られ収納されている紙幣Ｐの端部が接触しないように、ホイール５０２との間に、紙幣搬送時の受け渡し部である開放区間Ｋが設けられている。図７に示すように、搬送ガイド５５０は、搬送方向と垂直の方向に関して、中心部から外側に向かい、搬送空間が段階的に広がる形状となっている（ｈ１＜ｈ２＜ｈ３）。すなわち、紙幣の案内部材である搬送ガイド５５０は、その幅方向の中心部が最も低く、その中心部から端部側に向かうにつれて徐々に搬送面Ｓに対して高くなり、紙幣の搬送空間が広がるような形状となっている。
【００３１】
また、搬送方向に関して斜面を有し、搬送中央から外側に向かって、斜面の角度が大きくなっている（θ１＜θ２）。具体的には、図７に示すように、搬送ガイド５５０は、搬送方向からみて幅方向に多段形状となっており、各段を構成し搬送面Ｓに対向する対向面Ｓ’とその対向面Ｓ’に垂直な側面Ｓ”とにより形成される稜線であるエッジｅ１〜ｅ６を有している。また、上記対向面Ｓ’が、紙幣放出時の上流側である第二の一時保管庫５０側から下流側に向かって搬送空間の高さが低く緩やかな角度になるように徐々に傾斜した形状となっている。
【００３２】
さらには、前述のローラ５１１を基準として、斜面の開始点が、搬送中央から外側に向かって、搬送方向後流側となっている構造である（ｘ１＜ｘ２＜ｘ３）。すなわち、図６（ｂ）に示すように、上記対向面Ｓ’の傾斜開始点であって搬送方向に屈曲する屈曲部ｃ１〜ｃ３が、搬送ガイド５５０を構成する端部側の段であるほど下流側に設けられている。このような構成で、一時保管庫５０から矢印Ｚ方向に、放出される紙幣Ｑは、開放区間Ｋがあるところでも、上記構成を有する搬送ガイド５５０に案内され、段階的に広がる搬送ガイドの傾斜面のエッジｅ１、ｅ２、ｅ３、ｅ４、ｅ５、ｅ６…によって、紙幣端部の浮上がりを抑制し、紙幣を滞留させることなく収納庫外に放出することができる。なお、本図では３段の図を示しているが、段数は任意である。
【００３３】
以上説明した通り、媒体受け渡しの案内部材が、搬送方向と垂直の方向に関して、中心部から外側に向かい、搬送空間が段階的に広がり、また搬送方向に関して斜面を有し、搬送中央から外側に向かって、斜面の角度が大きくなっており、斜面の開始点が、搬送中央から外側に向かって、搬送方向後流側とする。したがって、媒体を巻き取ることにより収納し、媒体を巻き戻すことにより放出する収納庫において、媒体の浮き上がりによるジャムの発生を抑えることが可能となる。すなわち、紙葉類の媒体搬送の受け渡し部において、媒体端部の浮き上り、折れ、破れ等の変化／変形に対し案内部材との接触を低減し、媒体を滞留や遅延させることを防止することができる。具体的には、段階的に広がる傾斜面のエッジを形成し、紙幣端部の浮き上りを抑制し、紙幣を滞留、遅延させることなく搬送することが可能になり、装置信頼性の向上、ジャムによる装置停止時間の低減、ジャム処理作業が少なくなることによる作業者の負担低減を可能とする。
【符号の説明】
【００３４】
１０１：紙幣取引装置
５０：第二の一時保管庫
５０１：テープ
５０２：ホイール
５０２Ｓ：ホイール軸
５０３：リール
５０３Ｓ：リール軸
５０４：アイドラ
５０６：可動ガイド
５０９：ガイドローラ
５１１：搬送ローラ
５５０：搬送ガイド。
【図１（ａ）】
0006721296.tif 000002
【図１（ｂ）】
0006721296.tif 000003
【図２（ａ）】
0006721296.tif 000004
【図２（ｂ）】
0006721296.tif 000005
【図３】
0006721296.tif 000006
【図４】
0006721296.tif 000007
【図５】
0006721296.tif 000008
【図６（ａ）】
0006721296.tif 000009
【図６（ｂ）】
0006721296.tif 000010
【図７】
0006721296.tif 000011